(57)【要約】      （修正有）【課題】良好な水平度、表面の光沢、高い硬度を備え、使用上、精密度が更に向上し、回転は更にスムーズで耐磨性を備えたタッチフリー式給水装置の制御バルブ構造を提供する。      【解決手段】制御バルブは、少なくともバルブ筐体、バルブ台、可動セラミックディスク、固定セラミックディスク及びバルブ蓋を含み、バルブ台の一端には回転桿２１を設置し、可動セラミックディスクは少なくとも一個の穿孔を設置し、バルブ台の回転桿に相対する別一端に固定し、固定セラミックディスクは、少なくとも一個の入水孔と少なくとも一個の出水孔を設置する。更にバルブ蓋で固定セラミックディスクをバルブ筐体に固定し、使用者は大腿部、足部もしくは、その他物品でタッチフリー式重力装置Ｃに触れると、該制御バルブＡが出水するか否かを制御し、両手を触れない方法で出水を制御する。そのため、手の細菌を残さず、病原菌の伝染ルートにならない。【選択図】図７
0003155514.tif 000002
【実用新案登録請求の範囲】
【請求項１】
少なくとも一タッチフリー式重力装置と制御バルブを含むタッチフリー式給水装置の制御バルブ構造において、
制御バルブは、タッチフリー式重力装置と連接し、また該制御バルブは少なくとも納置部を設置し、納置部の一端には開口を備えるバルブ筐体と、
納置部内に収納し、その一端には回転桿を設置し、バルブ筐体の開口に相対する別一端に差し込むバルブ台と、
バルブ台の回転桿に相対する別一端に固定し、そのうち、少なくとも一個穿孔を穿設する可動セラミックディスクと、
可動セラミックディスクのバルブ台に相対する別一端に設置し、そのうち、少なくとも一個の入水孔と少なくとも一個の出水孔を設置する固定セラミックディスクと、
固定セラミックディスクをバルブ筐体内に固定し、入水孔、出水孔に対応する少なくとも一個の入水口と少なくとも一個の出水口を備えるバルブ蓋を含むことを特徴とするタッチフリー式給水装置の制御バルブ構造。
【請求項２】
前記固定セラミックディスク周辺には、切欠槽を設置し、バルブ蓋周辺には固定セラミックディスクの切欠槽と対応する凸塊を設置することを特徴とする請求項１記載のタッチフリー式給水装置の制御バルブ構造。
【請求項３】
前記タッチフリー式重力装置は、タッチフリー制御式ユニットで連動ユニットを通じてバルブ台の回転桿と連接し、該連動ユニットは回転盤及び追動部品を含み、回転桿は回転盤と枢設し、該回転盤は更に追動部品でタッチフリー制御式ユニット上まで連接し、タッチフリー制御式ユニットが回転桿の回転を制御することを特徴とする請求項１記載のタッチフリー式給水装置の制御バルブ構造。
【考案の詳細な説明】
【技術分野】
【０００１】
本考案は、タッチフリー式給水装置の制御バルブ構造に関するもので、良好な水平度、表面の光沢、高い硬度を備え、使用に於いて精密度が更に向上し、回転は更にスムーズで耐磨性を備えた制御バルブ構造で、タッチフリー方式で出水するタッチフリー式給水装置に係わる。
【背景技術】
【０００２】
一般に水道から水を取る時、水は直接水道栓から供給される。水道栓の開閉によって、水の出流状態(例：出水量、出水時間…等)をコントロールする。そのため、水源の供給が正常な状態で、使用者が水道から水が流れる状態にコントロールした場合、水は水道から継続的に流れ続け、使用者はスムーズに水を得ることができる。しかしながら、一般使用者が水の使用習慣が良くない場合には、水道を開ける時間が長くなり、水を無駄にしたり、もしくは水道を締めない為に水が流れた状態になったりするので水資源の無駄使いとなってしまう。更に水道栓の中には出水するか否かをコントロールする二個のバルブ片があるが、それの多くはプラスチックもしくは金属材であり、その材質が精密でないため、表面が平滑でなく、磨耗性に弱い。そのため、該二個のバルブ片が長期使用によって磨耗し、水垢が腐食して水漏れし、水道栓を締めているのにも関わらず、常に水が漏れる状態が発生する。
【０００３】
他に、使用者は手で水道栓を回して水の出流状況をコントロールする。しかし、一般の公共場所では利用者が多く、該水道栓が洗浄されていないと、水垢が着き病原菌を媒介してしまう。更に一般のゴミ箱は別に設置されているため、使用者は物品を洗ったり、手を洗ったりする時についでにごみを捨てることができず、不衛生であり、且つ美観も良くない。
【考案の概要】
【考案が解決しようとする課題】
【０００４】
解決しようとする問題点は、バルブ片が長期使用によって磨耗し、水垢が腐食して水漏れする点と、水道栓が洗浄されていないと、水垢が着き病原菌を媒介してしまう点である。
【課題を解決するための手段】
【０００５】
本考案は、タッチフリー式重力装置と制御バルブを連接して構成され、制御バルブは、少なくともバルブ筐体、バルブ台、可動セラミックディスク、固定セラミックディスク及びバルブ蓋を含み、バルブ台の一端には回転桿を設置し、可動セラミックディスクは少なくとも一個の穿孔を設置し、バルブ台の回転桿に相対する別一端に固定し、固定セラミックディスクは、少なくとも一個の入水孔と少なくとも一個の出水孔を設置する。更にバルブ蓋で固定セラミックディスクをバルブ筐体に固定し、使用者は大腿部、足部もしくは、その他物品でタッチフリー式重力装置に触れると、該制御バルブが出水するか否かを制御し、両手を触れない方法で出水を制御する。そのため、手の細菌を残さず、病原菌の伝染ルートにならない。特に該可動セラミックディスクと固定セラミックディスクは良好な水平度、表面の光沢、高い硬度を備え、使用上、良好な精密度、水漏れ防止及び耐磨耗性を備えることを最も主要な特徴とする。
【考案の効果】
【０００６】
本考案のタッチフリー式給水装置の制御バルブ構造は、下述の利点がある。
（1）水使用のシステムは変更が可能で、タッチフリー方式を水道栓に変更することができる。
（2）水を使う時の使用習慣を変え、足でペダルを踏むと水が出るので、楽に水を出したり止めたりでき、出水、止水を完全、スピーディにコントロールできる。
（3）出水時、手で触らなくてもよく、細菌を伝染したり、感染したりするのを防止して衛生的である。
（4）電源が不要で機械式の原理を特許とし、電源をまったく使用しない。
（5）エネルギーを節約して環境保護に役立ち、節水率は65.5%に上る。
【図面の簡単な説明】
【０００７】
【図１】本考案の制御バルブの構造立体図である。
【図２】本考案の制御バルブの構造分解図である。
【図３】本考案の制御バルブの出水指示図一である。
【図４】本考案の制御バルブの出水指示図二である。
【図５】本考案の制御バルブの出水指示図三である。
【図６】本考案の制御バルブの出水指示図四である。
【図７】本考案のタッチフリー式給水装置第一実施例の構造断面図である。
【図８】本考案のタッチフリー式給水装置第二実施例の構造断面図である。
【図９】本考案のタッチフリー式給水装置第三実施例の構造立体図である。
【図１０】本考案のタッチフリー式給水装置第三実施例の構造断面図である。
【図１１】本考案のタッチフリー式給水装置第四実施例の構造指示図である。
【図１２】本考案のタッチフリー式給水装置第四実施例の別一構造指示図である。
【図１３】本考案のタッチフリー式給水装置第五実施例の構造指示図である。
【図１４】本考案のタッチフリー式給水装置第六実施例の構造指示図である。
【図１５】本考案のタッチフリー式給水装置第六実施例の構造立体図である。
【考案を実施するための形態】
【０００８】
本考案「タッチフリー式給水装置の制御バルブ構造」は、タッチフリー式重力装置と制御バルブを連接することにより、使用者は大腿部、足部もしくは、その他物品で該タッチフリー式重力装置を動かし、該制御バルブが出水するか否かを制御する。また該制御バルブは、少なくともバルブ筐体、バルブ台、可動セラミックディスク、固定セラミックディスク及びバルブ蓋を含む。そのうち，バルブ台の一端には回転桿を設置し、納置部内に収納する。可動セラミックディスクは、少なくとも一個の穿孔を穿設し、バルブ台の回転桿に相対する別一端で固定する。固定セラミックディスクは、可動セラミックディスクのバルブ台に相対する別一端に設置し、それは少なくとも一個の入水孔と少なくとも一個の出水孔を穿設する。バルブ蓋は入水孔、出水孔に対応する少なくとも一個の入水口と少なくとも一個の出水口を備え、固定セラミックディスクをバルブ筐体内で固定する。
【０００９】
そのうち、該可動セラミックディスクと固定セラミックディスクはセラミック材を焼結させたもので、良好な水平度、表面の光沢、高い硬度を備え、使用時に、更に良好な精密度で可動セラミックディスクと固定セラミックディスク間を完全に密封して接触し、水漏れを防止し、更に良好な耐磨性を備える。
【００１０】
特に、該タッチフリー式重力装置は、タッチフリー制御式ユニットを連動ユニットでバルブ台の回転桿と連接し、該回転桿を回転させる。使用者は大腿部、足部もしくは、その他物品で該タッチフリー制御式ユニットを動かし、該制御バルブが出水するか否かを制御し，使用者は両手を触れない方式で出水を制御できるので、手の細菌が残留せず、病原菌の伝染ルートにならない。
【００１１】
他に、該タッチフリー式給水装置に、更にゴミ集積装置を結合する。そのため、使用者はゴミを直接ゴミ集積装置上方のゴミ投入孔へ捨てた後、直ぐに手を洗い、更に使用者は手を触れない方式で出水を制御できるので、手の病原菌を残さず、病原菌の伝染ルートにならない。ゴミ集積装置とゴミ投入孔は一体式で台座体上に設置されるので、衛生的で美観も良い。
【００１２】
本考案のタッチフリー式給水装置の制御バルブ構造は、図１及び図２及び図７に示し、該タッチフリー式給水装置は、タッチフリー式重力装置Ｃと制御バルブＡが連接されることによって、使用者は大腿部、足部もしくはその他物品で該タッチフリー式重力装置Ｃを押すだけで、該制御バルブＡを出水するか否かを制御し、該制御バルブＡは少なくともバルブ筐体１、バルブ台２、可動セラミックディスク３、固定セラミックディスク４及びバルブ蓋５を含む。そのうち、
【００１３】
該バルブ筐体１は、納置部１１を形成し、納置部１１一端には開口１２を備え、開口１２両側には掛合槽１３を設置する。
【００１４】
該バルブ台２は、納置部１１内に設置し、その一端には回転桿２１を設置し、バルブ筐体１の開口１２に相対する別一端から出し、バルブ台２の相対する別一端には位置限定塊２２を設置する。
【００１５】
該可動セラミックディスク３は、バルブ台２の回転桿２１に相対する別一端に固定し、そのうち、少なくとも一穿孔３１（本実施例では第一穿孔３１１及び第二穿孔３１２を設置した）を設置し、且つその周辺には該位置限定塊２２と対応する定位槽３２を設置する。
【００１６】
該固定セラミックディスク４は、可動セラミックディスク３のバルブ台２に相対する別一端に設置する。そのうち、少なくとも一入水孔４１（本実施例では第一入水孔４１１及び第二入水孔４１２を設置した）と少なくとも一出水孔４２を設置し、且つその周辺には切欠槽４３を設置する。
【００１７】
該バルブ蓋５は、入水孔４１、出水孔４２と対応する少なくとも一入水口５１（本実施例では第一入水口５１１及び第二入水口５１２を設置した）と少なくとも一出水口５２を備え、更に該バルブ蓋の周辺には固定セラミックディスクの切欠槽４３と対応する凸塊５３及びバルブ筐体１の掛合槽１３と相対する掛合鉤５４を設置する。
【００１８】
上述のバルブ台２、可動セラミックディスク３、固定セラミックディスク４及びバルブ蓋５を順にバルブ筐体１中に設置し、且つ可動セラミックディスク３は定位槽３２によってバルブ台２の位置限定塊２２に定位される。バルブ蓋５は凸塊５３によって固定セラミックディスク４の切欠槽４３内に固定され、固定セラミックディスク４をバルブ筐体１内に固定し、更にバルブ蓋５はバルブ筐体１の開口１２で閉じ、掛合鉤５４で掛合槽１３内に掛合して定位する。
【００１９】
重要な点として、該可動セラミックディスク３と固定セラミックディスク４は、セラミック材を焼結してできているので、良好な水平度、表面の光沢、高い硬度を備え、使用が更に精密で可動セラミックディスク３と固定セラミックディスク４間には完全に接触し、水漏れを防止し、更に良好な耐磨性を備える。
【００２０】
実施時、該制御バルブＡ一端のバルブ蓋５は、水流管と接続する。図３に示すとおり、バルブ蓋５の第一入水口５１１、第二入水口５１２一端には、それぞれ熱水もしくは冷水を供給する入水管体６１を接続し、出水口５２一端には出水管体６２を接続する。制御バルブＡの別一端の回転桿２１は可動セラミックディスク３の回転及び冷熱水を出水するか否かを制御する。
【００２１】
回転桿２１が可動セラミックディスク３を回転させ、第一穿孔３１１と第二穿孔３１２が固定セラミックディスク４の第一入水孔４１１及び第二入水孔４１２とすれ違った時（図３参照）、熱水もしくは冷水を供給する入水管体６１は第一入水孔４１１、第二入水孔４１２から流出できなくなる。
【００２２】
他に図４に示すとおり、可動セラミックディスク３の第一穿孔３１１が固定セラミックディスク４の第一入水孔４１１に対応し、更に第二穿孔３１２が出水孔４２に対応した時、冷水は冷水を供給する入水管体６１から第一入水孔４１１を経て再び出水孔４２から出水管体６２へ流出して使用者に供給する。
【００２３】
また、図５に示すとおり、可動セラミックディスク３の第二穿孔３１２が固定セラミックディスク４の第二入水孔４１２に対応し、また第一穿孔３１１が出水孔４２に対応した時、熱水は、別の熱水を供給する入水管体６１から第二入水孔４１２を経て更に出水孔４２を経て出水管体６２へ流出して使用者に水を供給する。
【００２４】
更に、図６に示すとおり、可動セラミックディスク３の第一穿孔３１１が固定セラミックディスク４の第一入水孔４１１と出水孔４２間に対応し、また第二穿孔３１２が固定セラミックディスク４の第二入水孔４１２と出水孔４２間に対応した時、冷、熱水は、それぞれ冷水、熱水を供給する入水管体６１から第一、第二入水孔４１１、４１２を経て流出して混合され温水になった後、再び出水孔４２を経て出水管体６２へ流出して使用者に供給する。
【００２５】
また、該制御バルブは、タッチフリー式の給水装置に使用され、その実施方式は以下のとおりある。
【実施例１】
【００２６】
図７に示すとおり、該タッチフリー式重力装置Ｃは、タッチフリー制御式ユニット７１により、連動ユニット８と制御バルブＡの回転桿２１が連接される。そのうち、該タッチフリー制御式ユニット７１は、ペダル７１１とする。該連動ユニット８は、牽引部品８１、連接桿８２と連動桿８３を含む。該連動桿８３が該回転桿２１を回転させ、連動桿８３一端は連接桿８２及び牽引部品８１によってペダル７１１と連接される。他に、連接桿８２のペダル７１１に相対して連接する別端には、更に被動桿８４によって復位ユニット８５が連接される。そのため、使用者は、足部でペダル７１１を踏むと、牽引部品８１、連接桿８２と連動桿８３が牽引され、連動桿８３が該回転桿２１を回転させ、更に該制御バルブＡが出水するか否かを制御する。更に復位ユニット８５により、被動桿８４、連接桿８２と牽引部品８１がペダル７１１を復位させる。そのため、使用者は両手で触ることなく、出水を制御するため、手に細菌が残留したり、病原菌を伝染したりすることがない。
【実施例２】
【００２７】
図８に示すとおり、該タッチフリー式重力装置Ｃは、更に牽引部品８１と連結する外部接触部品７２を含む。該外部接触部品７２は更にペダル７１１と連動する。そのため、使用者は、大腿部、膝部もしくは、その他物体で外部接触部品７２を押すと、牽引部品８１、連接桿８２と連動桿８３を牽引し、連動桿８３が該回転桿２１を回転させて該制御バルブＡが出水するか否かを制御し，更に復位ユニット８５によって被動桿８４、連接桿８２と牽引部品８１がペダル７１１を復位させる。
【実施例３】
【００２８】
図９及び図１０に示すとおり、該タッチフリー式給水装置は、更に台座体Ｂ及び一ゴミ集積装置７３を含む。該台座体Ｂは、タッチフリー制御式ユニット７１の前方に設置され、連動ユニット８と制御バルブＡをその中に設置する。更に該台座体Ｂ上には水槽Ｂ１を設置し、その周辺には給水ヘッドＢ２を設置し、出水管体６２で該制御バルブＡと連接する。該ゴミ集積装置７３は、台座体Ｂ内に設置してゴミを捨てる。更にゴミ集積装置７３上方にはゴミ投入孔７４を設置し、及び該台座体Ｂのゴミ投入孔７４に対応する位置には蓋板７５を設置する。そのため、使用者は直接ゴミをゴミ集積装置７３上方のゴミ投入孔７４へ捨てた後、続けて手を洗うことができ、且つ使用者は両手を触らずに出水をコントロールする。そのため、手の細菌を残留させず、病原菌を伝染させない。更にゴミ集積装置７３とゴミ投入孔７４は一体式で台座体Ｂ上に設置されるので、衛生的で美観も良い。
【実施例４】
【００２９】
図１１及び図１２に示すとおり、該タッチフリー式重力装置Ｃは、タッチフリー制御式ユニット７１で連動ユニット８を通じてバルブ台Ａの回転桿２１と連接する。また、該連動ユニットは回転盤８６及び追動部品８７を含み、回転桿２１と回転盤８６を枢設する。該回転盤８６は、更に追動部品８７でタッチフリー制御式ユニット７１上へ連接し、タッチフリー制御式ユニット７１で回転桿２１の回転を制御し、該制御バルブＡが出水するか否かを制御する。更に、タッチフリー制御式ユニット７１の一側には複数の停止部品８８１を備えた多段式停止板８８を設置し、他に、タッチフリー制御式ユニット７１の多段式停止板８８近くの一端に固定部７１２を設置し、その固定部７１２がこれら停止部品８８１内で移動することにより、固定部７１２と回転盤８６桿間を連接する連桿８９が制御バルブＡの回転桿２１を回転させて出水的流量を制御する。
【実施例５】
【００３０】
図１３に示すとおり、該タッチフリー式給水装置と其制御バルブは、シャワールームで運用する。そのうち，該タッチフリー式重力装置Ｃは、重量踏板７６で構成されたタッチフリー制御式ユニット７１は、連動ユニット８とバルブ台Ａの回転桿２１を連接することによって、該回転桿を回転させて該制御バルブＡが出水するか否かを制御する。
【実施例６】
【００３１】
図１４及び図１５に示すのは、実施例４（図１１及び図１２所示）を簡素化縮小型で、モジュール化を形成する。使用者は該モジュール化したタッチフリー式重力装置Ｃ一式を直接台座体Ｂ底部に組み立て、入水管体６１（可接設有一もしくは一個以上の入水管体）、出水管体６２を制御バルブＡと相互に繋いで設置するだけで、簡単組立式が完成する。
【００３２】
タッチフリー式給水装置構造を提供することを本考案の主な目的とする。それは、セラミック材質の可動セラミックディスクと固定セラミックディスクを備え、制御バルブが良好な水平度、表面の光沢、高い硬度を形成し、使用では更に良好な精密度で回転がスムーズ、且つ耐磨性を備えた制御バルブ構造で、両手を触らずに出水を制御するタッチフリー式給水装置を使用することで、水の使用方法を変え、完全でスピーディに出水、止水を制御し、細菌の感染を防止して、安全で衛生的で電源及びエネルギーを節約する。
【００３３】
本考案の技術内容及び技術特徴は上述のとおりである。しかしながら、習熟者が本考案の提示を基に、本考案の創作精神から乖離しない各種入れ替え、修飾を行うかも知れず、そのため、本考案は本考案から乖離しない各種入れ替え及び修飾を含んだものを以下の請求範囲とする。
【符号の説明】
【００３４】
Ａ        制御バルブ
Ｂ        台座体
Ｂ１      水槽
Ｂ２      給水ヘッド
Ｃ        タッチフリー式重力装置
１        バルブ筐体
１１      納置部
１２      開口
１３      掛合槽
２        バルブ台
２１      回転桿
２２      位置限定塊
３        可動セラミックディスク
３１      穿孔
３１１    第一穿孔
３１２    第二穿孔
３２      定位槽
４        固定セラミックディスク
４１      入水孔
４１１    第一入水孔
４１２    第二入水孔
４２      出水孔
４３      切欠槽
５        バルブ蓋
５１      入水口
５１１    第一入水口
５１２    第二入水口
５２      出水口
５３      凸塊
５４      掛合鉤
６１      入水管体
６２      出水管体
７１      タッチフリー制御式ユニット
７１１    ペダル
７１２    固定部
７２      外部接触部品
７３      ゴミ集積装置
７４      ゴミ投入孔
７５      蓋板
７６      重量踏板
８        連動ユニット
８１      牽引部品
８２      連接桿
８３      連動桿
８４      被動桿
８５      復位ユニット
８６      回転盤
８７      追動部品
８８      多段式停止板
８８１    停止部品
８９      連桿
【図１】
0003155514.tif 000003
【図２】
0003155514.tif 000004
【図３】
0003155514.tif 000005
【図４】
0003155514.tif 000006
【図５】
0003155514.tif 000007
【図６】
0003155514.tif 000008
【図７】
0003155514.tif 000009
【図８】
0003155514.tif 000010
【図９】
0003155514.tif 000011
【図１０】
0003155514.tif 000012
【図１１】
0003155514.tif 000013
【図１２】
0003155514.tif 000014
【図１３】
0003155514.tif 000015
【図１４】
0003155514.tif 000016
【図１５】
0003155514.tif 000017